(57)【要約】【課題】一つの吸込ブラシを共用してサイクロン集塵装置とダストポケットタイプ集塵装置を掃除空間によって選択的に装着して使用できる真空掃除機を提供する。【解決手段】本発明に係る真空掃除機は、被掃除面の床面に接する吸込口及び該吸込口に吸引力を発生させる空気発生装置を備える一つの吸込ブラシと、該吸込ブラシの真空発生装置に一端が連結された吸気通路と、該吸気通路の他端部に連結されるよう設けられ前記吸気通路に沿って流入される空気中に含まれた塵埃を分離回収する集塵装置とを備える。【選択図】　　　図１
2004000407.tif 000002
【特許請求の範囲】
【請求項１】
被掃除面の底面に接する吸込口及び該吸込口に吸込力を発生させる真空発生装置を備える一つの吸込ブラシと、
該吸込ブラシの真空発生装置に一端が連結される吸気通路と、
該吸気通路の他端部に連結されるよう設けられ前記吸気通路に沿って流入される空気中に含まれた塵埃を分離回収する集塵装置を備え、
前記集塵装置として流入される空気を旋回させ空気中に含まれた塵埃を遠心分離する割合に小容量の集塵チャンバーを有するサイクロン集塵装置と、流入される空気を濾過させ空気中に含まれた塵埃を分離する割合に大容量のダストポケットを有するダストポケットタイプ集塵装置を共に具備して、掃除空間に応じて前記サイクロン集塵装置とダストポケットタイプ集塵装置のうち適したいずれか一つを前記吸込ブラシに装着して使用することを特徴とする真空掃除機。
【請求項２】
前記吸込ブラシに選択的に装着される前記サイクロン集塵装置またはダストポケットタイプ集塵装置を取り外し自在に固定するために前記吸込ブラシに備えられる固定手段を含むことを特徴とする請求項１に記載の真空掃除機。
【請求項３】
前記固定手段は、前記吸込ブラシに立設される中空パイプ状の固定部材と、該固定部材にこれを直交する方向に貫通設置された少なくともいずれか一つの締結部材を備えることを特徴とする請求項２に記載の真空掃除機。
【請求項４】
前記サイクロン集塵装置は、一端部には前記固定部材に挿入される固定部が備えられ、他端部にはユーザが取れるハンドルが備えられたフレームと、
該フレームに結合された所定の収納部を備えた収納部材と、
該収納部側に位置するよう収納部材に支持設置され、前記吸気通路と連結される吸気口及び排気口が備えられ、前記吸気口を介して流入される塵埃を含んだ空気について旋回気流を形成するサイクロン本体と、
該サイクロン本体内の旋回気流により空気から分離される塵埃を回収するよう前記サイクロン本体の下部に着脱自在に結合された集塵チャンバーと、
空気から分離された前記塵埃が前記サイクロン本体の排気口を通して逆流することを防ぐために前記サイクロン本体の排気口に設けられ、前記排気口と通じる多数の流路を備えたグリルとを備えることを特徴とする請求項３に記載の真空掃除機。
【請求項５】
前記サイクロン集塵装置は、前記排気口を通して空気と共に排出される分離されない微細塵を再集塵するために前記サイクロン本体の上部に設けられる微細塵集塵フィルタと、
掃除時前記微細塵集塵フィルタがその装置位置から離脱しないよう固定するために前記サイクロン本体の上部側に分離自在に結合されるもので、前記排気口と通ずる外気排出通路をなすグリル装置を備えたカバー部材をさらに備えることを特徴とする請求項４に記載の真空掃除機。
【請求項６】
前記サイクロン本体の上部一側には第１係止孔、その反対側には第２係止孔がそれぞれ形成され、前記カバー部材の前記第１係止孔及び第２係止孔の対応位置には係止突起及びフックがそれぞれ設けられ、前記カバー部材を前記サイクロン本体に着脱自在に支持することを特徴とする請求項５に記載の真空掃除機。
【請求項７】
前記グリル装置は、前記カバー部材に形成された四角状の第２排気口と、該第２排気口の両側壁に一対の軸により回動するようそれぞれ設けられた多数のルーバーを備え、前記各ルーバーは排気圧により前記第２排気口を開放するよう回動することを特徴とする請求項５に記載の真空掃除機。
【請求項８】
前記各ルーバーの軸は偏心して置かれ、これにより前記ルーバーは排気圧により開放され、また自重により閉ることを特徴とする請求項７に記載の真空掃除機。
【請求項９】
前記第２排気口の両側壁のうち少なくともいずれか一方には前記ルーバーの開放角度を一定角度に制限するための制限リブが形成され、前記一定角度はユーザ側から見た時前方に向かうことを特徴とする請求項８に記載の請求項８に記載の真空掃除機。
【請求項１０】
前記各ルーバーはそれらの一部が互いに重畳配置され、該ルーバーの前記重畳部にはルーバーが閉った時同一平面を維持させるための爪部がそれぞれ設けられることを特徴とする請求項７ないし９項のうちいずれか一項に記載の真空掃除機。
【請求項１１】
前記ダストポケットタイプ集塵装置は、一端部には前記固定部材に挿入される固定部が備えられ、他端部にはユーザが取れるハンドルが備えられたフレームと、該フレームに結合され、前記吸気通路が連結される連結パイプを備えた連結部材と、該連結部材に支持設置され、後方には前記連結パイプと連結される連結口が設けられ、前方にはジッパが設けられたダストポケットとを備えることを特徴とする請求項３に記載の真空掃除機。
【発明の詳細な説明】
【０００１】
【発明の属する技術分野】
本発明は真空掃除機に係り、さらに詳しくは一つの吸込ブラシを共用して大容量の埃を集塵できるダストポケットタイプ集塵装置と小容量の埃を集塵することができるサイクロン集塵装置を選択的に吸込ブラシに装着して使用することができる真空掃除機に関する。
【０００２】
【従来の技術】
周知の通り、真空掃除機は真空発生装置により発生する吸引力により被掃除面に存在する塵埃を空気と共に吸込んで、該空気中に含まれた塵埃を集塵装置で分離回収する基本的な構成を有する。
【０００３】
このような真空掃除機は、集塵装置の集塵原理及び構造などにより色々分類できる。例えば、構造的な分類によれば、真空掃除機はアップ−ライト型やキャ二スタ型とに大別され、集塵原理的な分類によれば、前述したサイクロン集塵型とダストポケットタイプとに分類できる。
【０００４】
前記サイクロン集塵型真空掃除機は、吸込まれる塵埃を含んだ空気を旋回させ空気中に含まれた塵埃を遠心分離して回収するもので、一回捨て紙フィルタを使わず集塵機に回収されたごみを捨てた後リサイクルできるなど集塵機を半永久的に使用できるため、真空掃除機のメンテナンス費用が低減される長所がある。
【０００５】
前記ダストポケットタイプ真空掃除機は、大容量のダストポケットを備えるもので、割合に多くのごみが発生するホテルのような宿泊業所やその他の営業場で主に使用する。このダストポケットタイプ真空掃除機は広い掃除空間をフィルタの取り替えなしで掃除し続けられるという長所がある。一方、前記サイクロン集塵型真空掃除機は比較的に小容量の集塵チャンバーを備えるので家庭や狭い掃除空間に主に使用される。
【０００６】
前述したように、掃除空間によって最適の掃除効率を得るためにはそれぞれの掃除空間に適した専用の真空掃除機を必要とし、このために前述したような多種の真空掃除機が開発され販売中である。
【０００７】
一方、前記サイクロン集塵型掃除機やダストポケットタイプ掃除機は、被掃除面に接する吸込口及び該吸込口に吸引力を発生させる真空発生装置を備える吸込ブラシを共通に具備する。従って、共通構成である吸込ブラシに相異なる容量を有する集塵チャンバー、例えば前述した割合に小容量の集塵チャンバーを有するサイクロン集塵装置と比較的に大容量のダストポケットを有するダストポケットタイプ集塵装置を選択的に変えて使用できる掃除機が存在するとすれば、メーカの立場では二つのモデルの掃除機をそれぞれ開発及び生産する必要がないため、真空掃除機の開発及び生産のための設備投資費を節減することができ、消費者の立場でも二つのモデルの掃除機をそれぞれ購入する必要がないため、低費用で掃除効率を極大化することができる。
【０００８】
しかし、今までそのような真空掃除機は開発及び生産されておらず、よってメーカや消費者両方無駄な費用負担を強いられているのが現状である。
【０００９】
【発明が解決しようとする課題】
本発明は前述したような問題点に鑑みて案出されたもので、その目的は一つの吸込ブラシを共用してサイクロン集塵装置とダストポケットタイプ集塵装置を掃除空間によって選択的に装着して使用できる真空掃除機を提供するところにある。
【００１０】
【課題を解決するための手段】
前述した目的を達成するための本発明に係る真空掃除機は、被掃除面の床面に接する吸込口及び該吸込口に吸引力を発生させる真空発生装置を備える一つの吸込ブラシと、該吸込ブラシの真空発生装置に一端が連結された吸気通路と、該吸気通路の他端部に連結されるよう設けられ前記吸気通路に沿って流入される空気中に含まれた塵埃を分離回収する集塵装置を含み、前記集塵装置として流入される空気を旋回させて空気中に含まれた塵埃を遠心分離する比較的に小容量の集塵チャンバーを有するサイクロン集塵装置と、流入される空気をろ過させ空気中に含まれた塵埃を分離する比較的に大容量のダストポケットを有するダストポケットタイプ集塵装置を共に備えることを特徴とする。
【００１１】
以上のような本発明に係る真空掃除機は、掃除空間に応じて前記サイクロン集塵装置とダストポケットタイプ集塵装置のうち適したいずれか一つを前記吸込ブラシに装着して使用する。
【００１２】
本発明の望ましい実施形態によれば、真空掃除機は前記吸込ブラシに選択的に装着される前記サイクロン集塵装置またはダストポケットタイプ集塵装置を取り外し自在に固定するために前記吸込ブラシに備えられる固定手段を備える。
【００１３】
前記固定手段は、前記吸込ブラシに立設される中空パイプ状の固定部材と、該固定部材にこれを直交する方向に貫通設置された少なくとも一つの締結部材を備える。
【００１４】
前記サイクロン集塵装置は、一端部には前記固定部材に挿入される固定部が備えられ、他端部にはユーザが取れるハンドルが備えられたフレームと、該フレームに結合された所定の収納部を備えた収納部材と、該収納部の上部側に位置するよう収納部材に支持設置され、前記吸気通路と連結される吸気口及び排気口が備えられ、前記吸気口を通して流入される塵埃を含む空気について旋回気流を形成するサイクロン本体と、該サイクロン本体内の旋回気流により空気から分離される塵埃を回収するよう前記サイクロン本体の下部に着脱自在に結合された集塵チャンバーと、空気から分離された前記塵埃が前記サイクロン本体の排気口を通して逆流しないよう前記サイクロン本体の排気口に設けられ、前記排気口と通じる多数の流路を備えたグリルを備えて構成される。
【００１５】
また、前記サイクロン集塵装置は、前記排気口を通して空気と共に排出される分離されない微細塵を再集塵するために前記サイクロン本体の上部に設けられる微細塵集塵フィルタと、掃除時前記微細塵集塵フィルタが離脱しないよう固定するために前記サイクロン本体の上部側に分離自在に結合されることであって、前記排気口と通じる外部排気通路をなすグリル装置を備えたカバー部材をさらに備える。
【００１６】
前記サイクロン本体の上部の一側には第１係止孔、その反対側には第２係止孔がそれぞれ形成され、前記カバー部材の前記第１係止孔及び第２係止孔の対応位置には係止突起及びフックがそれぞれ設けられ、前記カバー部材を前記サイクロン本体に着脱自在に支持するよう構成されることが望ましい。
【００１７】
前記グリル装置は、前記カバー部材に形成された四角状の第２排気口と、該第２排気口の両側壁に一対の軸により回動するようそれぞれ設けられた多数のルーバーを備え、前記各ルーバーは排気圧により前記第２排気口を開放するよう回動する。
【００１８】
望ましくは、前記各ルーバーの軸は偏心して置かれ、これにより前記ルーバーは排気圧により開放され、また自重により閉る場合もある。
【００１９】
さらに詳しくは、前記第２排気口の両側壁のうち少なくともいずれか一方には前記ルーバーの開放角度を一定角度に制限するための制限リブが形成され、ここで前記一定角度はユーザ側から見た時前方に向かうことを特徴とする。従って、掃除時排出空気がユーザ側に近づかないようになる。
【００２０】
そして、前記各ルーバーはそれらの一部が互いに重畳するよう配され、このルーバーの前記重畳部にはルーバーが閉った時同一平面を維持するようにするための爪部がそれぞれ設けられる。
【００２１】
一方、前記ダストポケットタイプ集塵装置は、一端部には前記固定部材に挿入される固定部が備えられ、他端部にはユーザが取れるハンドルが備えられたフレームと、該フレームに結合され、前記吸気通路が連結される連結パイプを備えた連結部材と、該連結部材に支持設置され、後方には前記連結パイプと連結される連結口が設けられ、前方にはジッパが設けられたダストポケットとを備えて構成される。
【００２２】
【発明の実施の形態】
以下、添付した図面に基づき本発明の望ましい実施形態を詳述する。
【００２３】
図１は本発明の一実施形態による真空掃除機を概略的に示した分解斜視図である。同図に示した通り、本発明に係る真空掃除機は、一つの吸込ブラシ１０、吸気通路２０、吸込ブラシ１０に選択的に装着される集塵装置としてのサイクロン集塵装置３０及びダストポケットタイプ集塵装置４０を含む。ここで、サイクロン集塵装置３０は流入される空気を旋回させ空気中に含まれた塵埃を遠心分離する割合に小容量の集塵チャンバーを有し、ダストポケットタイプ集塵装置４０は流入される空気を濾過させ空気中に含まれた塵埃を分離する割合に大容量のダストポケットを有する。本発明は前述したようなサイクロン集塵装置３０とダストポケットタイプ集塵装置４０を共に備えることにより、一つの共通の吸込ブラシ１０に掃除空間により集塵装置を選択的に装着して使用することができる。
【００２４】
吸込ブラシ１０は具体的に示していないが、被掃除面の床面に接する吸込口と該吸込口に吸引力を発生させる真空発生装置を備える。また、吸込ブラシ１０は前記真空発生装置が装着される空間から外部に延びた連結口１１を備える。特に、吸込ブラシ１０は本発明の特徴によって吸込ブラシ１０に選択的に装着されるサイクロン集塵装置３０またはダストポケットタイプ集塵装置４０を取外し自在に固定するための固定手段１２を備える。固定手段１２は吸込ブラシ１０の一側に立設された中空パイプ状の固定部材１３と、固定部材１３にこれを直交する方向に貫通設置された少なくとも一つの締結部材１４を備える。固定部材１３には締結部材１４が貫通する締結部材１４の数に応ずる数ほどの貫通孔１３ａが形成される。
【００２５】
吸気通路２０は、その一端が吸込ブラシ１０の連結口１１に連結され、その他端はサイクロン集塵装置３０の吸気口３３１またはダストポケットタイプ集塵装置４０の連結パイプ４２１（図６参照）に連結される。図示例では二つの吸気通路２０、２０Ａがサイクロン集塵装置３０とダストポケットタイプ集塵装置４０にそれぞれ備えられる例を示しているが、必ずしもこれに限定されない。一つの吸気通路２０が吸込ブラシ１０に連結され共用できる。
【００２６】
サイクロン集塵装置３０は、図２及び図３に示した通り、フレーム３１０、収納部材３２０、サイクロン本体３３０、集塵チャンバー３４０、グリル３５０、微細塵集塵フィルタ３６０及びカバー部材３７０を備える。
【００２７】
フレーム３１０の下端には固定部材１３に挿入される固定部３１１が備えられ、その上部にはユーザが取れるハンドル３１２が備えられる。また、固定部３１１には固定部材１３の貫通孔１３ａと対応する第２貫通孔３１１ａが形成される。従って、固定部３１１を固定部材１３に挿入状態で締結部材１４を貫通孔１３ａ、３１１ａに挟み込めば、サイクロン集塵装置３０を吸込ブラシ１０に安定的に装着できる。そして、締結部材１４を貫通孔１３ａ、３１１ａから抜き取ることによりサイクロン集塵装置３０を容易く取り外せる。
【００２８】
収納部材３２０はフレーム３１０に結合され、収納部材３２０には所定の収納部３２１が提供される。フレーム３１０と収納部材３２０の結合は、例えば収納部材３２０の上部から下部にフレーム３１０を貫通させることで組み立てられる。
【００２９】
サイクロン本体３３０は、収納部３２１の上部側に置かれるよう収納部材３２０に支持設置される。また、サイクロン本体３３０には吸気通路２０が連結される吸気口３３１及び排気口３３２が備えられる。吸気口３３１はサイクロン本体３３０の一側に偏って形成され、排気口３３２はサイクロン本体３３０の上面の略中央部に形成される。吸気口３３１を介して流入される塵埃を含んだ空気は吸気口３３１によりサイクロン本体３３０の斜線方向に誘導され流入され、これによりサイクロン本体３３０内には旋回気流が形成される。この旋回気流に含まれた塵埃は遠心力により空気から分離され、浄化された空気は排気口３３２を通して排出される。
【００３０】
集塵チャンバー３４０は、サイクロン本体３３０で旋回気流により空気から分離される塵埃を回収するようサイクロン本体３３０の下部に着脱自在に装着される。集塵チャンバー３４０にはこの取り扱いを容易にするためのハンドル３４１が設けられる。集塵チャンバー３４０にごみが一杯になれば、この集塵チャンバー３４０だけを取外して内部のごみを捨てた後再び装着して使用することができる。図２において、３２２は集塵チャンバー３４０の着脱を容易にするためのレバーである。このレバー３２２により集塵チャンバー３４０が装着される場合、集塵チャンバー３４０の上部とサイクロン本体３３０の下部が完全に密着でき、また集塵チャンバー３４０とサイクロン本体３３０との間が離隔しつつ取外しやすくなる。
【００３１】
グリル３５０はサイクロン本体３３０の内部の排気口３３２に設けられ、前記旋回気流から分離された塵埃が排気口３３２を通して逆流しないようにする。このようなグリル３５０はグリルボディ３５１及びグリルボディ３５１の外周面に排気口３３２と連通するよう配置された多数の流路３５２を備える。ここで、流路３５２は微細なサイズを有し、よって流路３５２のサイズより大き目のごみは流路３５２を通過できなくなるため再び旋回気流に巻き込まれる。
【００３２】
一方、空気と共に流入される埃には極めて微細な埃もある。このような微細塵は旋回気流から分離されず、よって空気と共にグリル３５０の流路３５２及び排気口３３２を介して空気と共に排出される。
【００３３】
微細塵集塵フィルタ３６０は、前述したように、排気口３３２を通して空気と共に排出される空気から分離されていない微細塵を再集塵するためにサイクロン本体３３０の上部に装着される。サイクロン本体３３０の上面には微細塵集塵フィルタ３６０が安着される安着部３３３が形成されうる。微細塵集塵フィルタ３６０は略四角状のフィルタ本体３６１の内部に不織布３６２が組み立てられた図示例のような構成以外もスポンジのような多孔性材質で形成されうる。
【００３４】
カバー部材３７０は、掃除時微細塵集塵フィルタ３６０が装着位置から離脱しないように固定するため、サイクロン本体３３０の上部側に分離自在に結合される。これにより、微細塵集塵フィルタ３６０は安定した装着状態で微細塵をフィルタリングするようになり、また分離しやすくなって掃除できるメンテナンスが容易になる。カバー部材３７０の両側には図４及び図５に示した通り、一側には係止突起３７１が、それからその反対側にはフック３７２がそれぞれ形成され、サイクロン本体３３０の係止突起３７１とフック３７２の対応位置には第１及び第２係止孔３３４、３３５がそれぞれ形成され、カバー部材３７０をサイクロン本体３３０に着脱自在に支持するよう構成される。
【００３５】
また、カバー部材３７０には排気口３３２と通じる外部排気通路をなすグリル装置３７３が備えられる。グリル装置３７３は、図４及び図５に示した通り、カバー部材３７０に形成された四角状の第２排気口３７４と、第２排気口３７４の両側壁に一対の軸３７５ａにより回動するようそれぞれ設けられる多数のルーバー３７５で構成される。ここで、ルーバー３７５は排気圧により第２排気口３７４を開放するよう回動する。
【００３６】
望ましい実施形態によれば、各ルーバー３７５の軸３７５ａは偏心して置かれ、これによりルーバー３７５は排気圧により開放され、また自重により閉る。ここで、開放されるというのは掃除機を使用している状態を意味し、閉るというのは掃除が済んだことを指す。従って、掃除時はルーバー３７５が排気圧により自動に開きながら空気の外部排出通路をなすが、掃除が済んだ時はその自重により自動に閉るのでサイクロン本体の内部にごみなどが入り込むことはない。
【００３７】
さらに望ましい実施形態によれば、第２排気口３７４の両側壁のうち少なくともいずれか一方には図５に示した通り、ルーバー３７５が開放される際その開放角度を制限するための制限リブ３７４ａが形成される。制限リブ３７４ａにルーバー３７５の端部が接することによりルーバー３７５の開放角度が一定に維持されうる。ここで、ルーバー３７５が開放される際、本発明ではユーザ側から見た時略前方に向かうよう開放され、よって排出される空気がユーザ側に近づくことがない。
【００３８】
また、各ルーバー３７５はそれらの一部が重畳配置され、ルーバー３７５の前記重畳部にはルーバー３７５が閉った時同一平面を維持させるための爪部３７５ｂ、３７５ｃがそれぞれ形成される。
【００３９】
一方、ダストポケットタイプ集塵装置４０は、図６に示した通り、フレーム４１０、連結部材４２０及びダストポケット４３０を備える。
【００４０】
フレーム４１０の下部には固定部材１３に挿入される固定部４１１が備えられ、その上部にはユーザが取れるハンドル４１２が具備される。また、固定部４１１には固定部材１３の貫通孔１３ａと対応する第３貫通孔４１１ａが形成される。従って、固定部４１１が固定部材１３に挿入された状態で締結部材１４を貫通孔１３ａ、４１１ａに挟み込めば、ダストポケットタイプ集塵装置４０が吸込ブラシ１０に安定的に装着できる。そして、締結部材１４を貫通孔１３ａ、４１１ａから抜き取ることによってダストポケットタイプ集塵装置４０を容易く取り外せる。
【００４１】
連結部材４２０はフレーム４１０に結合され、連結部材４２０には吸気通路２０の連結される連結パイプ４２１が備えられる。ここで、フレーム４１０と連結部材４２０の結合は、サイクロン集塵装置３０の場合と同様に、連結部材４２０の上部から下部にフレーム４１０を貫通させることにより結合できる。
【００４２】
ダストポケット４３０は連結部材４２０に支持設置される。このダストポケット４３０の後方には連結パイプ４２１と連結される連結口（図示せず）が設けられ、前方にはダストポケット４３０を開閉させるためのジッパ４３１が設けられる。このようなダストポケット４３０は空気の自由な移動が可能なように十分な多孔性材質または布などよりなる。
【００４３】
以下、前述したような構成を有する本発明に係る真空掃除機の作用について図７及び図８を参照して説明する。
【００４４】
図７は吸込ブラシ１０にサイクロン集塵装置３０が装着された状態を示した図である。この場合、家庭や掃除空間が広くない箇所を掃除する場合である。掃除が始まって真空発生装置が駆動すれば、吸込ブラシ１０の下側に備えられた被掃除面の床面と接する吸込口（図示せず）を介して被掃除面に存する塵埃を含んだ空気が流入される。このように流入される空気は真空発生装置、連結口１１、吸気通路２０及び吸気口３３１を介してサイクロン本体３３０に流入される。この際、吸気口３３１により空気は斜線方向に誘導されサイクロン本体３３０に流入され、これによりサイクロン本体３３０内には旋回気流が形成される。前記旋回気流により空気中に含まれた塵埃は遠心力により分離され集塵チャンバー３４０に回収され、浄化された空気はグリル３５０の流路３５２、排気口３３２、微細塵集塵フィルタ３６０及びカバー部材３７０のグリル装置３７３を介して外部に排出される。一方、空気から分離されていない微細塵は空気と共に排出されるが、微細塵集塵フィルタ３６０により再集塵され、結局外部に排出される空気は綺麗に浄化された空気になる。
【００４５】
前述したような掃除過程において、カバー部材３７０の第２排気口３７４に排出される空気の圧力によりグリル装置３７３の各ルーバー３７５が開放されるため、空気は円滑に排出できる。この際、ルーバー３７５がユーザ側からみる際その前方に向かって所定角度で開放されるため、ユーザ側には排出空気が近づかない。掃除が済んだらルーバー３７５は自重により閉る。よって、サイクロン本体３３０の内部に異物が入り込めない。
【００４６】
図８はダストポケットタイプ集塵装置４０を吸込ブラシ１０に装着して使用する場合を示した図である。この場合、多くのごみが排出される割合に広い掃除空間を掃除する場合である。掃除が始まると、前述したように、吸込ブラシ１０の吸込口を通して被掃除面の塵埃を含んだ空気が流入され、この空気が吸気通路２０及び連結パイプ４２１を介してダストポケット４３０に流入される。ここで、ダストポケット４３０は空気の移動が自由であるものの、これより大きい粒子の塵埃は濾し出す材質よりなされているため、空気はダストポケット４３０を通過して外部に排出され、塵埃をダストポケット４３０に濾されて回収される。ここで、ダストポケット４３０は極めて大容量を有するので、広い掃除空間も効率よく掃除することができる。
【００４７】
【発明の効果】
以上述べた通り、本発明によれば掃除空間によってサイクロン集塵装置とダストポケットタイプ集塵装置のうち適したいずれか一つを一つの共通の吸込ブラシに装着して使用することができる。従って、メーカの立場では二種のモデルの真空掃除機を両方開発及び生産する必要がなく、一つのモデルや二種の機能を兼ねる真空掃除機を集中的に開発及び生産することができるため、費用節減は勿論品質向上を図られる。また消費者の立場でも従来のように二種モデルの真空掃除機を両方購入しなくても良いので、掃除機の購入にかかる費用負担を軽減することができる。
【００４８】
以上本発明の原理を例示するための望ましい実施形態と関連して説明し図示したが、本発明はそのように示し説明されたそのままの構成及び作用に限らない。かえって特許請求の範囲の思想及び範疇を逸脱せず本発明に対する多数の変形及び修正が可能なことを当業者らはよく理解できろう。従って、そのような適切な全ての変形及び修正と均等物も本発明の範囲に属する。
【図面の簡単な説明】
【図１】本発明の一実施形態による真空掃除機を概略的に示した分解斜視図である。
【図２】図１に示した真空掃除機のサイクロン集塵装置を概略的に示した分解斜視図である。
【図３】図２に示したサイクロン集塵装置の組立状態断面図である。
【図４】図２に示したサイクロン集塵装置のカバー部材を示した斜視図である。
【図５】図４のＶ−Ｖ線に沿って取った断面図である。
【図６】図１に示した真空掃除機のダストポケットタイプ集塵装置を概略的に示した分解斜視図である。
【図７】本発明に係る真空掃除機の吸込ブラシにサイクロン集塵装置が装着された状態を示した斜視図である。
【図８】本発明に係る真空掃除機の吸込ブラシにダストポケットタイプ集塵装置が装着された状態を示した斜視図である。
【符号の説明】
１０　　吸込ブラシ
１１　　連結口
１２　　固定手段
１３　　固定部材
１３ａ　貫通孔
１４　　締結部材
２０、２０Ａ　吸気通路
３０　　サイクロン集塵装置
４０　　ダストポケットタイプ集塵装置
３１０、４１０　フレーム
３１１、４１１　固定部
３１１ａ　第２貫通孔
３１２、３４１、４１２　ハンドル
３２０　収納部材
３２１　収納部
３２２　レバー
３３０　サイクロン本体
３３１　吸気口
３３２　排気口
３３３　安着部
３３４、３３５　第１及び第２係止孔
３４０　集塵チャンバー
３５０　グリル
３５１　グリルボディ
３５２　流路
３６０　微細塵集塵フィルタ
３６１　フィルタ本体
３６２　不織布
３７０　カバー部材
３７１　係止突起
３７２　フック
３７３　グリル装置
３７４　第２排気口
３７４ａ　制限リブ
３７５　ルーバー
３７５ａ　軸
３７５ｂ、３７５ｃ　爪部
４１１ａ　第３貫通孔
４２０　連結部材
４２１　連結パイプ
４３０　ダストポケット
４３１　ジッパ
【図１】
2004000407.tif 000003
【図２】
2004000407.tif 000004
【図３】
2004000407.tif 000005
【図４】
2004000407.tif 000006
【図５】
2004000407.tif 000007
【図６】
2004000407.tif 000008
【図７】
2004000407.tif 000009
【図８】
2004000407.tif 000010